(57)【要約】【課題】アウトボックスから延設される排出路がアウトレールと干渉したり或いは当該排出路から流下される遊技球がアウトレールの外側に排出されてしまうのを容易に回避することができるパチンコ遊技機の島設備を提供する。【解決手段】並設された複数のパチンコ遊技機２と、遊技球を所定箇所に回収するアウトレール８と、各パチンコ遊技機２毎に対応して配設され、当該パチンコ遊技機２から排出された遊技球を受け得るアウトボックス１２と、アウトボックス１２からアウトレール８に向かって上下方向に延設された螺旋状の通路から成り、当該アウトボックス１２で受けた遊技球を螺旋を描く如き軌跡にて順次流下させ、アウトレール８に排出させる排出路とを具備したパチンコ遊技機の島設備において、排出路１３の長さを調整する調整手段１４を具備したものである。【選択図】図７
2011067515.tif 000002
【特許請求の範囲】
【請求項１】
並設された複数のパチンコ遊技機と、
遊技球を所定箇所に回収するアウトレールと、
各パチンコ遊技機毎に対応して配設され、当該パチンコ遊技機から排出された遊技球を受け得るアウトボックスと、
該アウトボックスから前記アウトレールに向かって上下方向に延設された螺旋状の通路から成り、当該アウトボックスで受けた遊技球を螺旋を描く如き軌跡にて順次流下させ、前記アウトレールに排出させる排出路と、
を具備したパチンコ遊技機の島設備において、
前記排出路の長さを調整する調整手段を具備したことを特徴とするパチンコ遊技機の島設備。
【請求項２】
前記調整手段は、遊技球を複数個収容しつつ下端から当該遊技球をアウトレールに向かって順次吐出可能な収容空間を具備したことを特徴とする請求項１記載のパチンコ遊技機の島設備。
【請求項３】
前記調整手段は、前記排出路の基端側において前記アウトボックスと一体的に形成されたことを特徴とする請求項１又は請求項２記載のパチンコ遊技機の島設備。
【請求項４】
前記収容空間は、前記排出路の先端側に形成されたことを特徴とする請求項２記載のパチンコ遊技機の島設備。
【発明の詳細な説明】
【技術分野】
【０００１】
本発明は、本発明は、パチンコ遊技機が複数併設され、遊技球を所定箇所に回収するアウトレールと、各パチンコ遊技機から排出された遊技球を受け得るアウトボックスと、アウトボックスからアウトレールに向かって上下方向に延設された排出路とを具備したパチンコ遊技機の島設備に関するものである。
【背景技術】
【０００２】
パチンコ遊技機の島設備は、パチンコ店内ホールに設置され、複数のパチンコ遊技機が横並びに配設されるとともに、それらパチンコ遊技機に対して電力の供給や遊技球の供給及び回収等を行い得るよう構成されている。かかるパチンコ遊技機の島設備においては、従来より、遊技球を所定箇所に回収するアウトレールと、各パチンコ遊技機毎に対応して配設され、当該パチンコ遊技機から排出された遊技球を受け得るアウトボックスとが配設されている。
【０００３】
更に、アウトボックスは、通常、パチンコ遊技機から排出された遊技球の数を計測する計測手段が配設されているとともに、当該アウトボックスからアウトレールに向かって上下方向に排出路が延設されている。この排出路は、螺旋状の通路から成り、アウトボックスで受けた遊技球を螺旋を描く如き軌跡にて順次流下させ、アウトレールに排出させるよう構成されていた。尚、かかる先行技術は、文献公知発明に係るものでないため、記載すべき先行技術文献情報はない。
【発明の概要】
【発明が解決しようとする課題】
【０００４】
しかしながら、上記従来のパチンコ遊技機の島設備においては、以下の如き問題があった。即ち、パチンコ遊技機の遊技球の排出口は、機種によって種々異なる場合が多いため、当該排出口からの遊技球を受けるアウトボックスの位置をパチンコ遊技機に応じて上下左右に自在に調整し得るものが提案されるに至っている。然るに、アウトボックスの位置を調整した場合、当該アウトボックスから延設される排出路の先端の位置と、アウトレールの位置とが相対的に変化してしまうことから種々不具合を生じていた。
【０００５】
例えば、アウトボックスから延設される排出路が長すぎた場合、当該排出路の先端がアウトレールと干渉してしまう虞がある一方、排出路の先端がアウトレールより著しく上方に位置する場合、螺旋状に順次流下する遊技球が当該アウトレール上の所望位置に排出されず、甚だしくはアウトレールより外側に排出されてしまう虞があった。尚、排出路の長さが長すぎる場合は、当該排出路の先端側を切断して調整することが可能であるが、その場合、パチンコ遊技機を更に変更する（新台に入れ替えする）ときに上記の如き不具合が生じてしまう。
【０００６】
本発明は、このような事情に鑑みてなされたもので、アウトボックスから延設される排出路がアウトレールと干渉したり或いは当該排出路から流下される遊技球がアウトレールの外側に排出されてしまうのを容易に回避することができるパチンコ遊技機の島設備を提供することにある。
【課題を解決するための手段】
【０００７】
請求項１記載の発明は、並設された複数のパチンコ遊技機と、遊技球を所定箇所に回収するアウトレールと、各パチンコ遊技機毎に対応して配設され、当該パチンコ遊技機から排出された遊技球を受け得るアウトボックスと、該アウトボックスから前記アウトレールに向かって上下方向に延設された螺旋状の通路から成り、当該アウトボックスで受けた遊技球を螺旋を描く如き軌跡にて順次流下させ、前記アウトレールに排出させる排出路と、
を具備したパチンコ遊技機の島設備において、前記排出路の長さを調整する調整手段を具備したことを特徴とする。
【０００８】
請求項２記載の発明は、請求項１記載のパチンコ遊技機の島設備において、前記調整手段は、遊技球を複数個収容しつつ下端から当該遊技球をアウトレールに向かって順次吐出可能な収容空間を具備したことを特徴とする。
【０００９】
請求項３記載の発明は、請求項１又は請求項２記載のパチンコ遊技機の島設備において、前記調整手段は、前記排出路の基端側において前記アウトボックスと一体的に形成されたことを特徴とする。
【００１０】
請求項４記載の発明は、請求項２記載のパチンコ遊技機の島設備において、前記収容空間は、前記排出路の先端側に形成されたことを特徴とする。
【発明の効果】
【００１１】
請求項１の発明によれば、排出路の長さを調整する調整手段を具備したので、アウトボックスから延設される排出路が長すぎてアウトレールと干渉したり或いは当該排出路が短すぎて流下される遊技球がアウトレールの外側に排出されてしまうのを容易に回避することができる。
【００１２】
請求項２の発明によれば、調整手段は、遊技球を複数個収容しつつ下端から当該遊技球をアウトレールに向かって順次吐出可能な収容空間を具備したので、遊技球は収容空間で一旦留まり、その後更に下方へ吐出されて流下することとなり、アウトレール上に落下する際の衝撃を緩めることができる。
【００１３】
請求項３の発明によれば、調整手段は、排出路の基端側においてアウトボックスと一体的に形成されたので、部品点数を削減することができるとともに、アウトボックスと一体成形させることにより製造コストを低減させることができる。
【００１４】
請求項４の発明によれば、収容空間は、排出路の先端側に形成されたので、当該収容空間に収容された遊技球が排出路における錘として機能し、遊技球が螺旋を描く如き軌跡にて順次流下する際に排出路の左右の振れを抑制することができる。
【図面の簡単な説明】
【００１５】
【図１】本発明の実施形態に係るパチンコ遊技機の島設備を示す全体模式図
【図２】同島設備の内部構成を示す正面模式図
【図３】同島設備の内部構成を示す側面模式図
【図４】同島設備におけるアウトレール及び排出路等を示す平面図及び正面図
【図５】同島設備におけるアウトレール及び排出路等を示す側面図
【図６】同島設備におけるアウトボックスを示す３面図
【図７】同島設備におけるアウトレール、排出路及び調整手段等を示す拡大模式図
【図８】同島設備における調整手段を示す拡大模式図
【図９】同島設備における調整手段の第１部材を示す拡大模式図
【図１０】同島設備における調整手段の第２部材を示す拡大模式図
【図１１】本発明の他の実施形態における調整手段を示す拡大模式図
【図１２】同島設備における調整手段の第１部材を示す拡大模式図
【図１３】同島設備における調整手段の第２部材を示す拡大模式図
【発明を実施するための形態】
【００１６】
本実施形態に係るパチンコ遊技機の島設備は、図１に示すように、遊技店に設置されるとともにパチンコ遊技機２が複数並列して設置された島状のものから成る。かかる島設備１は、それぞれのパチンコ遊技機２に電力を供給し得るとともに、各パチンコ遊技機２に遊技球を供給し或いは回収する流路（レール等）を具備したものである。
【００１７】
本実施形態で適用されるパチンコ遊技機２は、ガラス板が取り付けられた前面枠を有しており、該ガラス板から遊技者が遊技盤を目視し得るように構成されており、この遊技盤の遊技領域には、図柄表示手段、始動口や大入賞口等の種々役物が配設されている。そして、ハンドルを回転操作することにより、遊技球が遊技盤に発射され、所定の入賞口に入賞或いは最下のアウト穴に至るよう構成されている。
【００１８】
島設備１は、パチンコ遊技機２に電力を供給し得る電力供給手段（不図示）を具備するとともに、図２、３で示すように、各パチンコ遊技機２に供給する遊技球が自重により流下する流路（４、５、６、８）や駆動力にて略垂直に上昇させる流路（１１）を具備したものである。即ち、島設備１の上部には、島上タンク３が配設されており、かかる島上タンク３から遊技球が各パチンコ遊技機２に供給されるよう構成されているのである。
【００１９】
具体的には、島上タンク３から下方に傾斜しつつ延設された供給流路４（補給樋）が左右に延びており、その途中が各パチンコ遊技機２と接続されることにより、当該供給流路４から各パチンコ遊技機２に遊技球が流下して供給されることとなる。そして、パチンコ遊技機２における入賞口或いはアウト穴から導かれた遊技球は、後述するアウトボックス１２にて計数された後、排出路１３を介してアウトレール８に送られ、そこから自重にて転がって研磨装置９に送られることとなる。而して、アウトレール８は、所定角度傾斜して配設されることにより、遊技球を所定箇所（本実施形態においては研磨装置９）に回収することができるのである。
【００２０】
研磨装置９は、遊技球を研磨するためのもので、ここで研磨された遊技球が順次リフタ１０に送られることとなる。このリフタ１０は、垂直流路１１を介して遊技球を島上タンク３に供給するためのもので、かかる島上タンク３に供給された遊技球は再び供給流路４を介して各パチンコ遊技機２に供給されることとなる。而して、遊技球は、島設備１内において循環することとなり、必要量がパチンコ遊技機２に供給されることとなる。
【００２１】
一方、島上タンク３からは、パチンコ遊技機２を介さず遊技球を流下させるオーバーフロー樋５が延設されており、このオーバーフロー樋５の先端には、プールタンク７まで延びる落下流路６が接続されている。かかるオーバーフロー樋５は、供給流路４が遊技球で満杯となったときに島上タンク３の遊技球をプールタンク７まで直接流すためのものである。而して、遊技球は、オーバーフロー樋５から落下流路６を介して自重により落下してプールタンク７に至り、そこからアウトレール８を介して研磨装置９及びリフタ１０に順次送られ、垂直流路１１を介して島上タンク３に導入されることとなる。
【００２２】
アウトボックス１２は、各パチンコ遊技機２毎に対応して配設され、当該パチンコ遊技機２から排出された遊技球を受け得るものであり、その受けた遊技球の個数を計測し得る計数手段（不図示）が配設されたものである。具体的には、アウトボックス１２は、図６に示すように、パチンコ遊技機２から排出される遊技球を受ける収容部１２ａと、該収容部１２ａで受けられ計数手段にて計数された遊技球を順次排出させる排出部１２ｂとから構成されている。
【００２３】
排出部１２ｂは、排出路１３の基端と接続される排出口１２ｂａを有しており、当該排出口１２ｂａから排出された遊技球が排出路１３に沿って流下し、アウトレール８側に排出されるようになっている。然るに、島設備１の所定部位には支持手段Ｆが固定されており、当該支持手段Ｆに形成された係止部Ｆａにアウトボックス１２が係止されることにより支持されている。そして、係止部Ｆａに対するアウトボックス１２の係止位置（係止高さ）を変更することにより、パチンコ遊技機２の背面側に形成された遊技球の排出口の位置に合わせてアウトボックス１２の設置高さを変更することが可能となっている。
【００２４】
排出路１３は、図４、５で示すように、アウトボックス１２（排出部１２ｂの排出口１２ｂａ）からアウトレール８に向かって上下方向に延設された螺旋状の通路（線状金属材を螺旋状に成形したもの）から成り、当該アウトボックス１２で受けた遊技球を螺旋を描く如き軌跡にて順次流下させ、アウトレール８に排出させるものである。即ち、排出路１３は、各アウトボックス１２からそれぞれ下方に垂下され、その下端（先端）がアウトレール８の上面から所定寸法上方の位置とされている。
【００２５】
而して、アウトボックス１２からの遊技球は、当該排出路１３の螺旋状に沿って順次流下（螺旋を描く如き軌跡にて順次流下）した後、アウトレール８に落下するので、チューブの如く下方に向かって略直線状に流下するものに比べ、アウトレール８に落下した際の衝撃を緩めることができる。また、本実施形態に係る排出路１３の途中には、図７に示すように、上下それぞれの位置に調整手段１４が接続されている。
【００２６】
かかる調整手段１４は、排出路１３の長さ（上下方向の寸法）を調整するためのものであり、図８〜１０に示すように、遊技球を複数個収容しつつ下端から当該遊技球をアウトレール８に向かって順次吐出可能な収容空間Ｓを具備するものとされ、下方に開口した筒状部材から成る第１部材１４ａと、上方に開口した筒状部材から成る第２部材１４ｂとを組み付けて構成されている。尚、第１部材１４ａ及び第２部材１４ｂは、樹脂等で成形したものが好ましいが、他の材質のものであってもよい。特に、第１部材１４ａ及び第２部材１４ｂを透明部材或いは半透明部材で構成すれば、内部の状態を視認することができ、メンテナンスを容易とすることができる。
【００２７】
第１部材１４ａは、図９に示すように、その上端に遊技球を導入させる導入口１４ａｄが形成されるとともに、対向する壁部１４ａｂ及び対向する壁部１４ａｃを有しており、それら壁部１４ａｂ、１４ａｃにて四方を囲まれた収容空間Ｓを有して構成されており、対向する壁部１４ａｂのそれぞれの内周面には、内側に突出した複数の被係止爪１４ａａが形成されている。かかる被係止爪１４ａａは、上下方向に亘って複数（本実施形態においては４つずつ）形成されている。
【００２８】
第２部材１４ｂは、図１０に示すように、その下端に遊技球を吐出させる吐出口１４ｂｄが形成されるとともに、対向する壁部１４ｂｂ及び対向する壁部１４ｂｃを有しており、それら壁部１４ａｂ、１４ａｃにて四方を囲まれた収容空間Ｓを有して構成されており、対向する壁部１４ｂｂのそれぞれの外周面には、側方に突出した複数の係止爪１４ｂａが形成されている。かかる係止爪１４ｂａは、上下方向に亘って複数（本実施形態においては４つずつ）形成されている。
【００２９】
然るに、第１部材１４ａの内径は、第２部材１４ｂの外径より大きく設定されており、第１部材１４ａの下方開口から第２部材１４ｂを挿通可能とされているとともに、挿通状態において、係止爪１４ｂａが被係止爪１４ａａと係止可能とされている。一方、第２部材１４ｂの壁部１４ｂｂは、壁部１４ｂｃに対して内側に撓み得るよう構成されており、当該壁部１４ｂｃを内側に撓ませつつ第２部材１４ｂを第１部材１４ａに挿通させ、所望位置（高さ）にて係止爪１４ｂａを被係止爪１４ａａに係止させ得るようになっている。
【００３０】
そして、係止爪１４ｂａの被係止爪１４ａａの高さ方向の係止位置を任意変更することにより、調整手段１４の長手方向の長さを任意調整し得るようになっている。即ち、調整手段１４の長手寸法を大きく（長く）する場合は、係止爪１４ｂａを下方の被係止爪１４ａａに係止させる一方、調整手段１４の長手寸法を小さく（短く）する場合は、係止爪１４ｂａを上方の被係止爪１４ａａに係止させることにより、長さ調整が可能とされているのである。
【００３１】
本実施形態によれば、係止爪１４ｂａの被係止爪１４ａａの係止位置を任意変更することにより、調整手段１４の長さを任意調整することができるので、排出路１３全体の長さ調整を行うことができる。また、第１部材１４ａ及び第２部材１４ｂを組み合わせることにより、内部に遊技球を複数個収容可能な収容空間Ｓが形成されることとなる。而して、排出路１３にて遊技球を排出させる過程において、収容空間Ｓにて遊技球を複数個収容しつつ下端の吐出口１４ｂｄから当該遊技球をアウトレール８に向かって順次吐出させることができる。
【００３２】
本実施形態に係る上部の調整手段１４は、排出部１２ｂの排出口１２ｂａに接続されるとともに、下部の調整手段１４は、排出路１３の先端側（排出路１３の中央の位置より下方側）に接続されている。而して、上部及び下部のそれぞれの調整手段１４の長さを変更することにより排出路１３全体の長さを調整することができ、当該排出路１３の先端の位置をアウトレール８から任意寸法だけ上方の位置とすることができる。
【００３３】
本実施形態によれば、排出路１３の長さを調整する調整手段１４を具備したので、アウトボックス１２から延設される排出路１３が長すぎてアウトレール８と干渉したり或いは当該排出路１３が短すぎて流下される遊技球がアウトレール８の外側に排出されてしまうのを容易に回避することができる。更に、本実施形態においては、排出路１３の上部及び下部のそれぞれに調整手段１４を接続しているので、当該排出路１３の長さ調整（最短長さから最長長さまでの調整）を十分に行わせることができる。
【００３４】
上記調整手段１４によれば、遊技球を複数個収容しつつ下端から当該遊技球をアウトレール８に向かって順次吐出可能な収容空間Ｓを具備したので、遊技球は収容空間Ｓで一旦留まり、その後更に下方へ吐出されて流下することとなり、アウトレール８上に落下する際の衝撃を緩めることができる。特に、下部の調整手段１４は、その収容空間Ｓが排出路１３の先端側に形成されたので、当該収容空間Ｓに収容された遊技球が排出路１３における錘として機能し、遊技球が螺旋を描く如き軌跡にて順次流下する際に排出路１３の左右の振れを抑制することができる。
【００３５】
以上、本実施形態について説明したが、本発明はこれに限定されるものではなく、例えば図１１〜１３に示すように、排出路１３の途中に接続する調整手段１５が線状金属部材を螺旋状（図示の如き隙間のない螺旋状）に巻いたもので構成し、内部に収容空間Ｓを形成したものであってもよい。この場合であっても、第１部材１５ａの上端に導入口１５ａａが形成されるとともに、第２部材１５ｂの下端に吐出口１５ｂａが形成され、これら第１部材１５ａと第２部材１５ｂとを組み合わせて成る調整手段１５とされ、第１部材１５ａに対する第２部材１５ｂの高さ方向の係止位置（挟持位置）を任意調整することにより、排出路１３全体の長さ調整を行い得るよう構成されている。
【００３６】
また、本実施形態においては、排出路１３の上部（基端側）と下部（先端側）との両方に調整手段１４が接続されているが、排出路１３の上部（基端側）のみ或いは下部（先端側）のみに調整手段を接続するものとしてもよい。更に、排出路１３の上部に配設される調整手段は、排出路１３の基端側においてアウトボックス１２と一体的に形成されたものとすることができる。この場合、調整手段は、排出路１３の基端側においてアウトボックス１２と一体的に形成されたので、部品点数を削減することができるとともに、アウトボックス１２と一体成形させることにより製造コストを低減させることができる。
【産業上の利用可能性】
【００３７】
排出路の長さを調整する調整手段を具備したパチンコ遊技機の島設備であれば、外観形状が異なるもの或いは他の機能が付加されたもの等にも適用することができる。
【符号の説明】
【００３８】
１    島設備
２    パチンコ遊技機
３    島上タンク
４    供給流路
５    オーバーフロー樋（流路）
６    落下流路
７    プールタンク
８    流路
９    研磨装置
１０  リフタ
１１  垂直流路
１２  アウトボックス
１３  排出路
１４  調整手段
１５  調整手段
Ｓ    収容空間
【図１】
2011067515.tif 000003
【図２】
2011067515.tif 000004
【図３】
2011067515.tif 000005
【図４】
2011067515.tif 000006
【図５】
2011067515.tif 000007
【図６】
2011067515.tif 000008
【図７】
2011067515.tif 000009
【図８】
2011067515.tif 000010
【図９】
2011067515.tif 000011
【図１０】
2011067515.tif 000012
【図１１】
2011067515.tif 000013
【図１２】
2011067515.tif 000014
【図１３】
2011067515.tif 000015